(57)【要約】【課題】本発明が解決しようとする課題は、防犯タグを取り付けた商品について防犯信号の放出を停止されなかったことを認識することが可能な商品情報読取装置およびプログラムを提供することである。【解決手段】実施形態の商品情報読取装置は、商品特定情報を取得した商品に取り付けられた防犯タグが発する防犯信号を防犯タグ装置が無効化したことを示す無効化信号を受信したかを判断する第１判断部と、前記無効化信号を受信していないと判断した場合には、アラートを報知する報知部と、を備える。【選択図】図８
2020030554.tif 000002
【特許請求の範囲】
【請求項１】
商品特定情報を取得した商品に取り付けられた防犯タグが発する防犯信号を防犯タグ装置が無効化したことを示す無効化信号を受信したかを判断する第１判断部と、
前記無効化信号を受信していないと判断した場合には、アラートを報知する報知部と、
を備えた商品情報読取装置。
【請求項２】
前記第１判断部が前記無効化信号を受信していないと判断した場合に、前記商品について前記商品特定情報に基づく売上登録処理を実行しない情報記憶部、
をさらに備えた請求項１に記載の商品情報読取装置。
【請求項３】
記憶部に商品別に記憶された前記無効化信号の受信の確認の要否情報に基づいて、前記商品特定情報を取得した商品が前記無効化信号の受信の確認が要の商品であるかを判断する第２判断部、
をさらに備え、
前記第１判断部は、前記第２判断部によって前記無効化信号の受信の確認が要であると判断した商品について、前記無効化信号を受信したかを判断する、
請求項１または２に記載の商品情報読取装置。
【請求項４】
前記記憶部、
をさらに備えた請求項３に記載の商品情報読取装置。
【請求項５】
前記報知部は、前記第１判断部が前記無効化信号を受信していないと判断した場合には前記無効化信号の受信を待つことを示すメッセージを報知し、前記メッセージの報知後所定時間前記無効化信号を受信しない場合に前記アラートを報知する、
請求項１乃至４のいずれか一に記載の商品情報読取装置。
【請求項６】
コンピュータを、
商品特定情報を取得した商品に取り付けられた防犯タグが発する防犯信号を防犯タグ装置が無効化したことを示す無効化信号を受信したかを判断する第１判断部と、
前記無効化信号を受信していないと判断した場合には、アラートを報知する報知部と、
して機能させるためのプログラム。
【発明の詳細な説明】
【技術分野】
【０００１】
本発明の実施形態は、商品情報読取装置およびプログラムに関する。
【背景技術】
【０００２】
従来から、盗難防止のための防犯タグを取り付けた商品が存在する。このような商品は、防犯タグから防犯信号を放射しており、防犯信号を放射したまま当該商品が出入り口に設けられたゲートを通過すると、ゲートは防犯を示す音声等が報知する。
【０００３】
このような商品は、当該商品に貼付されたコードシンボルをコードリーダが読み取る際に、防犯タグ停止装置が、防犯タグに対して防犯信号の放射を停止する。すると、当該商品がゲートを通過しても防犯の報知はされない。商品情報読取装置は、読み取ったコードシンボルに基づいて、当該商品について売上登録処理を実行する。
【０００４】
ところで、何らかの理由で、防犯タグ停止装置が防犯信号の放射を停止しない場合がある。しかしながら、商品情報読取装置の操作者は、防犯信号の放射を停止しなかったことを認識できないことがある。
【発明の概要】
【発明が解決しようとする課題】
【０００５】
本発明が解決しようとする課題は、防犯タグを取り付けた商品について防犯信号の放射を停止されなかったことを認識することが可能な商品情報読取装置およびプログラムを提供することである。
【課題を解決するための手段】
【０００６】
実施形態の商品情報読取装置は、商品特定情報を取得した商品に取り付けられた防犯タグが発する防犯信号を防犯タグ装置が無効化したことを示す無効化信号を受信したかを判断する第１判断部と、前記無効化信号を受信していないと判断した場合には、アラートを報知する報知部と、を備える。
【図面の簡単な説明】
【０００７】
【図１】図１は、実施形態に係る商品情報読取装置を含むチェックアウトシステムの外観構成を示す斜視図である。
【図２】図２は、図１に示したチェックアウトシステムにおいて、防犯タグ停止装置と商品情報読取装置との接続関係を示す図である。
【図３】図３は、図１に示した商品情報読取装置のハードウェア構成を示すブロック図である。
【図４】図４は、図３に示した商品情報読取装置が備えた商品マスタのデータ構成の一例を模式的に示す図である。
【図５】図５は、図１に示した防犯タグ停止装置のハードウェア構成を示すブロック図である。
【図６】図６は、防犯タグ停止装置の制御処理の流れを示すフローチャートである。
【図７】図７は、商品情報読取装置の機能構成を示す機能ブロック図である。
【図８】図８は、商品情報読取装置の制御処理の流れを示すフローチャートである。
【発明を実施するための形態】
【０００８】
以下、図１〜図８を参照して、実施形態に係る商品情報読取装置およびプログラムについて詳細に説明する。なお、以下に説明する実施形態によりこの発明が限定されるものではない。
【０００９】
図１は、実施形態に係るチェックアウトシステム１の外観構成を示す斜視図である。チェックアウトシステム１は、スーパーマーケット等の量販店やコンビニエンスストア等に設置され、販売される商品を特定する商品コード（商品特定情報）を入力して商品の売上登録処理や決済処理を行うシステムである。図１に示すように、チェックアウトシステム１は、商品情報読取装置１０とＰＯＳ端末３０と防犯タグ停止装置６０（防犯タグ装置）を備える。
【００１０】
横長テーブル状のカウンタ台１５１には、ＰＯＳ端末３０とデータ送受信可能に接続された商品情報読取装置１０が設置される。商品情報読取装置１０は、薄型矩形形状のハウジング２９で形成される。
【００１１】
ハウジング２９の正面には、撮像部２４の読取窓２４ａが設けられている。ハウジング２９の上部には、オペレータ用表示部２２、客用表示部２３、操作部２１、および溝２７ａを有するカードリーダ２７が設けられている。オペレータ用表示部２２上には、タッチパネル２５が設けられている。操作部２１は、商品情報読取装置１０での処理の終了を宣言する終了キー２１１（図３を参照）等を有している。なお、終了キー２１１は、タッチパネル２５に設けられていてもよい。
【００１２】
カウンタ台１５１の上面には、荷受け面１５２が形成される。荷受け面１５２には、商品Ｐを収納する買物カゴ１５３が載置される。買物カゴ１５３は、顧客によって持ち込まれる第１の買物カゴ１５３ａと、第１の買物カゴ１５３ａから商品情報読取装置１０を挟んだ位置に載置される第２の買物カゴ１５３ｂとが存在する。
【００１３】
第１の買物カゴ１５３ａには、顧客が購入する商品Ｐが収納される。商品情報読取装置１０を操作するオペレータは、第１の買物カゴ１５３ａ内の商品Ｐを取出して第２の買物カゴ１５３ｂへと移動する。移動した商品Ｐが入った第２の買物カゴ１５３ｂは、顧客が図示しない袋詰め所に移動させる。顧客は、袋詰め所において、第２の買物カゴ１５３ｂに入った商品Ｐを買物袋に移す。
【００１４】
商品Ｐには、防犯タグが取り付けられている。防犯タグは、商品に貼付されていてもよいし、別手段（例えばバンド）によって商品から容易に離されないように取り付けられていてもよい。防犯タグは、防犯信号が放射されている。店舗の出入り口に設けられたゲートは、当該防犯信号をキャッチすると防犯ブザーを報知する。なお、すべての商品Ｐに防犯タグが取り付けられてもいいし、特定の商品Ｐのみに防犯タグが取り付けられてもいい。
【００１５】
第１の買物カゴ１５３ａから第２の買物カゴ１５３ｂへの商品Ｐの移動過程で、商品Ｐは商品情報読取装置１０の読取窓２４ａの前を通過する。この際、商品情報読取装置１０は、読取窓２４ａ内に配置された撮像部２４（図２参照）を用いて商品Ｐを含む画像を撮像する。そして、商品情報読取装置１０は、撮像した撮像画像から、撮像された商品の特徴を示す特徴量を抽出する。そして商品情報読取装置１０は、抽出した特徴量と商品マスタ１４２（記憶部）に記憶された複数の基準商品の特徴量とを比較して類似度（似ている程度）を算出し、撮像された商品に該当する一または複数の基準商品を候補として抽出する。この一連の処理を一般物体認識（generic  object  recognition）処理という。このような一般物体認識については、下記の文献において各種認識技術が解説されている。
【００１６】
柳井  啓司，“一般物体認識の現状と今後”，情報処理学会論文誌，Ｖｏｌ．４８，Ｎｏ．ＳＩＧ１６  [平成２５年１月２４日検索]，インターネットURL:http://mm.cs.uec.ac.jp/IPSJ-TCVIM-Yanai.pdf  
【００１７】
基準商品とは、店舗で販売されている商品であって、後述する商品マスタ１４２に記憶されている商品をいう。また、基準商品は、撮像された商品との類似度を算出するために基準となる商品である。撮像された商品と類似度が最も近い基準商品を撮像された商品と認識する。また、候補として表示された基準商品のうち、オペレータによって選択された基準商品を撮像された商品と認識する。
【００１８】
商品情報読取装置１０は、特に類似度が高い（例えば類似度９５％以上）一つの基準商品が存在する場合には、当該類似度が高い基準商品を撮像した商品と自動確定する。そして、商品情報読取装置１０は、自動確定した基準商品を特定する商品コード（商品特定情報）を商品マスタ１４２（図２参照）から読み出す。そして商品情報読取装置１０は、読み出した商品コードに基づいて売上登録処理を実行する。売上登録処理とは、商品コードに基づいて販売する商品の商品名や価格（総称して「商品情報」という）を表示するとともに、商品情報を商品情報部１３１に記憶する処理をいう。そして、商品情報読取装置１０は、終了キー２１１が操作されると、商品情報部１３１に記憶された商品情報（商品コードであってもよい）をＰＯＳ端末３０に送信する。
【００１９】
一方、自動確定するほど類似度が高い基準商品が存在しない場合は、商品情報読取装置１０は、オペレータ用表示部２２に、一般物体認識で算出された類似度が高い順に所定数（例えば類似度が高い順に上位４個）の基準商品を候補として表示する。オペレータは、タッチパネル２５を操作して、候補として表示された基準商品から該当する基準商品を選択する。商品情報読取装置１０は、選択された基準商品を特定する商品コードを商品マスタ１４２から読み出す。そして商品情報読取装置１０は、売上登録処理を実行して記憶した商品コードをＰＯＳ端末３０に送信する。
【００２０】
ＰＯＳ端末３０は、カウンタ台１５１とＬ字状に配置されたチェックアウト台５１上のドロワ４１上面に載置される。ドロワ４１は、顧客から預かった金銭（紙幣と硬貨）を金銭箱に収納する。ドロワ４１は、顧客に手渡す釣銭を金銭箱に収納している。ドロワ４１は、ＰＯＳ端末３０から開放動作の制御を受けると、金銭箱を開放する。
【００２１】
ＰＯＳ端末３０は、上面にオペレータによって操作される操作部４２を配置する。操作部４２を操作するオペレータから見て操作部４２よりも奥側には、オペレータに向けて情報を表示するオペレータ用表示部４３を備える。オペレータ用表示部４３はオペレータに対して情報を表示する。タッチパネル４６は、オペレータ用表示部４３の表示面４３ａに積層されている。客用表示部４４は、オペレータ用表示部４３よりもさらに奥側に回転自在に立設される。客用表示部４４は、顧客に対して情報を表示する。
【００２２】
ＰＯＳ端末３０は、商品情報読取装置１０から受信した商品情報（あるいは商品コード）に基づいて、決済処理を実行する。決済処理とは、釣銭を計算して表示する処理、釣銭の発行を釣銭機に指示する処理、商品情報や決済情報（合計金額、預り金額、釣銭額等）を印字したレシートを発行する処理等をいう。なお、売上登録処理と決済処理を合わせた処理を取引処理という。また、取引処理された情報を売上情報という。
【００２３】
防犯タグ停止装置６０は、カウンタ台１５１に設置される。防犯タグ停止装置６０は、例えばカウンタ台１５１の下部であって顧客から見えない位置に設置される。防犯タグ停止装置６０は、売上登録処理された商品に取り付けられている防犯タグから放射されている防犯信号を停止する。
【００２４】
続いて、図２を用いて、防犯タグ停止装置６０と商品情報読取装置１０との電気的接続関係について説明する。
【００２５】
防犯タグ停止装置６０は、アンテナ６７を備えている。アンテナ６７は、撮像部２４の内部または撮像部２４の近傍に設けられている。実施形態では、アンテナ６７は、撮像部２４の内部に撮像部２４と一体的に設けられている。また、防犯タグ停止装置６０は、商品情報読取装置１０と通信回線Ｌによって電気的に接続されている。
【００２６】
防犯タグ停止装置６０は、防犯タグから放射（発する）されている防犯信号を停止させる。防犯タグ停止装置６０は、アンテナ６７から停止信号を常時放射している。防犯タグ停止装置６０は、停止信号を放射して、読取窓２４ａの前を通過した商品に取り付けられた防犯タグから放射されている防犯信号を停止する（すなわち、防犯タグ装置を無効化する）。防犯信号が停止すると、アンテナ６７は、防犯タグから防犯信号を受信しない。防犯タグ停止装置６０は防犯タグから放射されている防犯信号が停止したことを認識する。防犯タグ停止装置６０は、防犯タグから放射されている防犯信号が停止したことを認識すると、防犯タグから放射されている防犯信号を停止したことを示す無効化信号（防犯タグが無効化したことを示す無効化信号）を通信回線Ｌを介して商品情報読取装置１０に送信する。
【００２７】
次に、商品情報読取装置１０のハードウェア構成について説明する。図３は、商品情報読取装置１０のハードウェア構成を示すブロック図である。図３に示すように、商品情報読取装置１０は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は制御主体となる。ＲＯＭ１２は各種プログラムを記憶する。ＲＡＭ１３はプログラムや各種データを展開する。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述する商品情報読取装置１０に係る制御処理を実行する。
【００２８】
ＲＡＭ１３は、各種データも記憶する。ＲＡＭ１３は、商品情報部１３１を備える。商品情報部１３１は、売上登録処理した商品の商品情報（または商品コード）を記憶する。
【００２９】
メモリ部１４は、制御プログラム部１４１、商品マスタ１４２（記憶部）を備える。制御プログラム部１４１は、商品情報読取装置１０を制御するプログラムを記憶する。商品マスタ１４２については、図４の説明で後述する。
【００３０】
制御部１００は、バス１５およびコントローラ１６を介して、操作部２１、オペレータ用表示部２２、客用表示部２３、撮像部２４、タッチパネル２５、音声出力部２６、カードリーダ２７と接続している。また、制御部１００は、バス１５を介して、通信Ｉ／Ｆ（Interface）２８と接続している。通信Ｉ／Ｆ２８は通信回線Ｌを介して防犯タグ停止装置６０と接続している。
【００３１】
撮像部２４は、カラーＣＣＤセンサやカラーＣＭＯＳセンサを備える。撮像部２４は、読取窓２４ａの前を通過した商品を含む撮像を行う。音声出力部２６は、予め設定された警告音等を発生するための音声回路とスピーカー等である。音声出力部２６は、制御部１００の制御の下で警告音等の音声による報知を行う。カードリーダ２７は、溝２７ａを走査されたカードからカード情報を読み取る。
【００３２】
次に図４を用いて、商品マスタ１４２のデータ構成を示す。商品マスタ１４２は、基準商品を特定する商品コードに対応して、当該基準商品の商品名、単価、防犯タグの確認情報、特徴量を記憶する。図４に示すように、商品マスタ１４２は、商品コード部１４２１、商品名部１４２２、単価部１４２３、防犯タグ部１４２４、特徴量部１４２５を備えている。
【００３３】
商品コード部１４２１は、基準商品を特定する商品コードを記憶する。商品名部１４２２は、商品コードが特定する基準商品の商品名を記憶する。単価部１４２３は、商品コードが特定する基準商品の単価を記憶する。防犯タグ部１４２４は、防犯タグが取り付けられている商品であるか否かを示す情報を記憶する。すなわち、防犯タグ部１４２４に記憶されている情報は、防犯タグ停止装置６０からの無効化信号の受信の確認の要否情報である。防犯タグ部１４２４に情報「１」が記憶されている商品は、防犯タグが取り付けられている商品である。すなわち、防犯タグ部１４２４に情報「１」が記憶されている商品は、無効化信号の受信の確認が必要（要）な商品である。防犯タグ部１４２４に情報「０」が記憶されている商品は、防犯タグが取り付けられていない商品である。すなわち、防犯タグ部１４２４に情報「０」が記憶されている商品は、無効化信号の受信の確認が不要（否）の商品である。
【００３４】
特徴量部１４２５は、商品コード部１４２１に記憶された商品コードと対応付けて、各基準商品の特徴を示す特徴量を記憶する。特徴量とは、商品表面の色合いや模様、凹凸状況、形状等の、当該商品の特徴を顕著に表す情報である。なお、実施形態では、商品マスタ１４２が商品の特徴量を記憶するようにしたが、商品の特徴量を記憶する辞書を別途商品コード別に設け、当該商品コードを商品マスタ１４２に記憶された商品コードと関連付けしてもよい。
【００３５】
次に、防犯タグ停止装置６０のハードウェア構成について説明する。図５は、防犯タグ停止装置６０のハードウェア構成を示すブロック図である。図５に示すように、防犯タグ停止装置６０は、ＣＰＵ６１、ＲＯＭ６２、ＲＡＭ６３、メモリ部６４等を備えている。ＣＰＵ６１は制御主体となる。ＲＯＭ６２は各種プログラムを記憶する。ＲＡＭ６３はプログラムや各種データを展開する。メモリ部６４は各種プログラムを記憶する。ＣＰＵ６１、ＲＯＭ６２、ＲＡＭ６３、メモリ部６４は、互いにバス６５を介して接続されている。ＣＰＵ６１とＲＯＭ６２とＲＡＭ６３が、制御部６００を構成する。すなわち、制御部６００は、ＣＰＵ６１がＲＯＭ６２やメモリ部６４に記憶されＲＡＭ６３に展開された制御プログラムに従って動作することによって、防犯タグ停止装置６０に係る制御処理を実行する。
【００３６】
メモリ部６４は、制御プログラム部６４１を備える。制御プログラム部６４１は、防犯タグ停止装置６０を制御するプログラムを記憶する。
【００３７】
制御部６００は、バス６５およびコントローラ６６を介して、アンテナ６７と接続している。また、制御部６００は、バス６５を介して、通信Ｉ／Ｆ６８と接続している。通信Ｉ／Ｆ６８は通信回線Ｌを介して商品情報読取装置１０と接続している。
【００３８】
ここからは、防犯タグ停止装置６０の制御処理について説明する。図６は、防犯タグ停止装置の制御処理の流れを示すフローチャートである。図６に示すように、防犯タグ停止装置６０の制御部６００は、アンテナ６７から停止信号を放射する（Ｓ３１）。この状態で、オペレータ（または顧客）は、商品Ｐに付されたコードシンボルを撮像部の前を通過させる。制御部６００は、通過した商品Ｐの防犯タグから放射されている防犯信号が停止したかを判断する（Ｓ３２）。商品Ｐの通過（すなわち、防犯タグの通過）の過程において、アンテナ６７が、防犯タグから防犯信号を受信している状態から防犯信号を受信しなくなる状態に変化した場合には、制御部６００は、通過した商品Ｐに取り付けられた防犯タグから放射されている防犯信号が停止したと判断する。
【００３９】
通過した商品Ｐの防犯タグから放射されている防犯信号が停止したと判断した場合には（Ｓ３２のＹｅｓ）、次に制御部６００は、商品情報読取装置１０に対し、通信回線Ｌを介して無効化信号を送信する（Ｓ３３）。そして制御部６００は、Ｓ３１に戻る。なお、通過した商品Ｐの防犯タグから放射されている防犯信号が停止していないと判断した場合には（Ｓ３２のＮｏ）、制御部６００は、Ｓ３１に戻る。この（Ｓ３２でＮｏの）場合、制御部６００は、商品情報読取装置１０に対して無効化信号を送信しない。
【００４０】
ここからは、商品情報読取装置１０の機能構成について説明する。図７は、商品情報読取装置１０の機能構成を示す機能ブロック図である。制御部１００が、制御プログラム部１４１に記憶された制御プログラム等に従うことで、第１判断部１０１、報知部１０２、情報記憶部１０３、第２判断部１０４として機能する。
【００４１】
第１判断部１０１は、商品特定情報を取得した商品に取り付けられた防犯タグが発する防犯信号を防犯タグ装置が無効化したことを示す無効化信号を受信したかを判断する。第１判断部１０１は、防犯タグ停止装置６０から、防犯タグが放射している防犯信号を停止したことを示す無効化信号を受信したかを判断する。
【００４２】
報知部１０２は、防犯タグ停止装置６０から無効化信号を受信していないと判断した場合には、アラートを報知する。
【００４３】
情報記憶部１０３は、第１判断部１０１が無効化信号を受信したと判断した場合に、入力された商品コードに基づく売上登録処理を実行する。情報記憶部１０３は、第１判断部１０１が無効化信号を受信していないと判断した場合に、入力された商品コードに基づく売上登録処理を実行しない。
【００４４】
第２判断部１０４は、記憶部である商品マスタ１４２に商品別に記憶された無効化信号の受信の確認の要否情報に基づいて、商品コードを取得した商品が無効化信号の受信の確認が要の商品であるか否の商品であるかを判断する。第２判断部１０４は、入力された商品コードに基づいて防犯タグ部１４２４に記憶されている要否情報を検索し、商品コードを取得した商品が無効化信号の受信の確認の要の商品であるか否の商品であるかを判断する。
【００４５】
ここからは、商品情報読取装置１０の制御処理について説明する、図８は、商品情報読取装置１０の制御処理の流れを示すフローチャートである。図８に示すように、制御部１００は、撮像部２４が撮像した画像に基づいて商品コードを入力したかを判断する（Ｓ１１）。商品コードを入力したと判断した場合には（Ｓ１１のＹｅｓ）、第２判断部１０４は、入力された商品コードに基づいて、防犯タグ部１４２４に記憶されている要否情報を検索し、当該商品が無効化信号の受信の確認の要の商品であるか否の商品であるかを判断する（Ｓ１２）。第２判断部１０４が無効化信号の受信の確認の要の商品（すなわち、防犯タグ部１４２４に「１」が記憶されている商品）であると判断した場合には（Ｓ１２のＹｅｓ）、第１判断部１０１は、防犯タグ停止装置６０から無効化信号を受信したかを判断する（Ｓ１３）。第１判断部１０１が防犯タグ停止装置６０から無効化信号を受信したと判断した場合には（Ｓ１３のＹｅｓ）、情報記憶部１０３は、無効化信号を受信した商品について、入力された商品コードに基づいて売上登録処理を実行して、取得した商品情報を商品情報部１３１に記憶する（Ｓ１４）。そして制御部１００は、Ｓ１１に戻る。
【００４６】
一方、第１判断部１０１が防犯タグ停止装置６０から無効化信号を受信していないと判断した場合には（Ｓ１３のＮｏ）、制御部１００は、無効化信号の受信を待つことを示すメッセージを表示する（Ｓ１５）。
【００４７】
次に報知部１０２は、Ｓ１５のメッセージを表示してから所定時間が経過したかを判断する（Ｓ１６）。所定時間とは、防犯タグ停止装置６０から無効化信号を受信するのに充分な時間である。報知部１０２がメッセージを表示してから（無効化信号を受信しないまま）所定時間が経過したと判断した場合には（Ｓ１６のＹｅｓ）、報知部１０２はアラートを報知する。アラートは、オペレータ用表示部２２に警告を表示してもよい。また、アラートは、音声出力部２６から警告音を出力してもよい。そして制御部１００は、Ｓ１１に戻る。このように、情報記憶部１０３は、第１判断部１０１が無効化信号を受信していないと判断した場合に、当該商品を特定する商品コードに基づく売上登録処理を実行しない。
【００４８】
また、報知部１０２がメッセージを表示してから所定時間が経過していないと判断した場合には（Ｓ１６のＮｏ）、制御部１００は、Ｓ１３に戻る。
【００４９】
また、Ｓ１２において、当該商品が無効化信号の受信の確認は不要の商品であると判断した場合には（Ｓ１２のＮｏ）、Ｓ１３の判断をすることなく、情報記憶部１０３は、入力された商品コードに基づいて売上登録処理を実行して、取得した商品情報を商品情報部１３１に記憶する（Ｓ１４）。
【００５０】
また、Ｓ１１において、商品コードを入力していないと判断した場合には（Ｓ１１のＮｏ）、制御部１００は、終了キー２１１が操作されたかを判断する（Ｓ２１）。終了キー２１１が操作されたと判断した場合には（Ｓ２１のＹｅｓ）、商品情報部１３１に記憶されている商品情報をＰＯＳ端末３０に送信する（Ｓ２２）。そして制御部１００は、Ｓ１１に戻る。また、終了キー２１１は操作されていないと判断した場合には（Ｓ２１のＮｏ）、制御部１００はＳ１１に戻る。
【００５１】
このような実施形態の商品情報読取装置１０によれば、報知部１０２は、防犯タグ停止装置６０から無効化信号を受信しない場合にはアラートを報知する。そのため、オペレータは、防犯タグを取り付けた商品について防犯信号の放出が停止されなかったことを認識することが可能である。
【００５２】
また、実施形態によれば、情報記憶部１０３が、防犯タグ停止装置６０から無効化信号を受信していない商品について、入力された商品コードに基づいて売上登録処理を実行しない。そのため、防犯信号が停止していない防犯タグが取り付けられた商品が販売されることがない。
【００５３】
また、実施形態によれば、商品マスタ１４２に記憶された要否情報に基づいて第２判断部１０４が効化信号の受信の確認が必要と判断した商品について、第１判断部１０１が無効化信号を受信したかを判断する。そのため、防犯タグが取り付けられている商品についてのみ無効化信号を受信したかを判断することができる。
【００５４】
また、実施形態によれば、第１判断部１０１が無効化信号を受信していないと判断した場合には、一旦無効化信号の受信を待つことを示すメッセージを報知し、その後所定時間が経過したら、アラートを報知する。そのため、無効化信号を受信するのに充分な時間が経過して、まだ無効化信号を受信していない場合のみアラートを報知することができる。
【００５５】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更、組み合わせを行うことができる。この実施形態やその変形は、発明の範囲や要旨に含まれるとともに、特許請求の範囲に記載された発明とその均等の範囲に含まれる。
【００５６】
例えば実施形態では、アンテナ６７は、撮像部２４の内部に撮像部２４と一体的に設けられているようにした。しかしながら、これに限らず、アンテナ６７は、撮像部２４と別体に設けてもよく、要は、撮像部２４が商品に付されたコードシンボルを読み取る際に、アンテナ６７が当該商品に取り付けられた防犯タグから放射されている防犯信号を停止できる位置に設けられればいい。
【００５７】
また、実施形態では、防犯タグ部１４２４に情報「０」が記憶されている商品は、防犯タグが取り付けられていない商品であるとした。しかしながらこれに限らず、防犯タグ部１４２４に情報「０」が記憶されている商品は、当該商品に防犯タグが取り付けられている、付けられていないに係わらず、無効化信号の受信の確認が不要な商品であればいい。
【００５８】
また、実施形態では、商品マスタ１４２に防犯タグ部１４２４を設けた。しかしながらこれに限らず、防犯タグ部１４２４は商品マスタ１４２以外に設けてもいい。
【００５９】
また、実施形態では、商品情報読取装置１０に商品マスタ１４２が備えられている。しかしながらこれに限らず、商品マスタ１４２はＰＯＳ端末３０や上位サーバが備えていてもよい。
【００６０】
なお、実施形態の商品情報読取装置１０で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００６１】
また、実施形態の商品情報読取装置１０で実行されるプログラムを、インターネット等のネットワークに接続されたコンピュータ上に格納し、ネットワーク経由でダウンロードさせることにより提供するように構成しても良い。また、実施形態の商品情報読取装置１０で実行されるプログラムをインターネット等のネットワーク経由で提供または配布するように構成しても良い。
【００６２】
また、実施形態の商品情報読取装置１０で実行されるプログラムを、ＲＯＭ等に予め組み込んで提供するように構成してもよい。
【符号の説明】
【００６３】
１        チェックアウトシステム
１０      商品情報読取装置
１１      ＣＰＵ
１２      ＲＯＭ
１３      ＲＡＭ
１４      メモリ部
２２      オペレータ用表示部
２４      撮像部
６０    防犯タグ停止装置
６１      ＣＰＵ
６２      ＲＯＭ
６３      ＲＡＭ
６４      メモリ部
１００  制御部
１０１  第１判断部
１０２  報知部
１０３  情報記憶部
１０４  第２判断部
１３１  商品情報部
１４２  商品マスタ
１４２４  防犯タグ部
Ｌ        通信回線
【先行技術文献】
【特許文献】
【００６４】
【特許文献１】特開２０１７−１５６８６６号公報
【図１】
2020030554.tif 000003
【図２】
2020030554.tif 000004
【図３】
2020030554.tif 000005
【図４】
2020030554.tif 000006
【図５】
2020030554.tif 000007
【図６】
2020030554.tif 000008
【図７】
2020030554.tif 000009
【図８】
2020030554.tif 000010